(57)【要約】【課題】複数のデータ形式で交換されるトレース情報を、各取引形態を損なうことなく、統一トレース情報の形式で取り扱うことを可能にする。【解決手段】トレース情報登録システムから送信されたトレース情報を、トレース情報管理システムが受信し、送信先や送信元といったマッピングルールを一意に選択できる識別情報を、該トレース情報から抽出する。抽出手段を用意することにより、その識別情報からマッピングテーブルを選択し、統一トレース情報へデータを変換し、統一トレース情報管理データベースに格納する。【選択図】図１
2005162403.tif 000002
【特許請求の範囲】
【請求項１】
ネットワークを介して、物品の流通もしくは製造過程を示すトレース情報を発信する複数の情報発信装置と接続され、前記ネットワークを介して受信する２以上のデータ形式の前記トレース情報を統一的なデータ形式の統一トレース情報に変換するトレース情報変換システムにおいて、
情報発信装置に応じて定められ、前記クライアント装置から送信されるトレースデータを前記統一トレースデータに変換する変換方法を、予め記憶する記憶手段と、
前記ネットワークと接続して、前記２以上のデータ形式のトレース情報を受信する受信手段と、
前記受信手段で受信されたトレース情報から、前記情報発信装置を識別する識別情報を抽出する抽出手段と、
前記抽出手段で抽出された識別情報に対応する変換方法を前記記憶手段から検索する検索手段と、
前記検索手段で検索された変換方法に従って、前記受信手段で受信されたトレース情報を前記統一トレース情報に変換する変換手段と、
前記変換手段で変換された前記統一トレース情報を登録する登録手段とを有することを特徴とするトレース情報変換システム。
【請求項２】
請求項１に記載のトレース情報変換システムにおいて、
前記抽出手段は、前記トレース情報の所定位置に記録された情報を前記識別情報として抽出することを特徴とするトレース情報変換システム。
【請求項３】
請求項１に記載のトレース情報変換システムにおいて、
前記抽出手段は、前記トレース情報から所定桁数の情報を前記識別情報として抽出することを特徴とするトレース情報変換システム。
【請求項４】
請求項３に記載のトレース情報変換システムにおいて、
前記抽出手段は、前記トレース情報のうち、所定ビット数の情報を前記所定桁数の情報として抽出することで前記識別情報を抽出することを特徴とするトレース情報変換システム。
【請求項５】
ネットワークを介して、物品の流通もしくは製造過程を示すトレース情報を発信する複数の情報発信装置と接続され、前記ネットワークを介して受信する２以上のデータ形式の前記トレース情報を統一的なデータ形式の統一トレース情報に変換するトレース情報変換システムを用いたトレース情報変換方法において、
情報発信装置に応じて定められ、前記クライアント装置から送信されるトレースデータを前記統一トレースデータに変換する変換方法を、予め記憶装置に記憶し、
前記ネットワークと接続した受信装置を用いて、前記２以上のデータ形式のトレース情報を受信し、
前記受信装置で受信されたトレース情報から、前記情報発信装置を識別する識別情報を抽出し、
抽出された識別情報に対応する変換方法を前記記憶装置から検索し、
検索された変換方法に従って、前記受信手段で受信されたトレース情報を前記統一トレース情報に変換し、
変換された前記統一トレース情報を登録装置に登録することを特徴とするトレース情報変換方法。
【請求項６】
請求項５に記載のトレース情報変換方法において、
前記識別情報の抽出は、前記トレース情報の所定位置に記録された情報を前記識別情報として抽出することを特徴とするトレース情報変換方法。
【請求項７】
請求項５に記載のトレース情報変換方法において、
前記識別情報の抽出は、前記トレース情報から所定桁数の情報を前記識別情報として抽出することを特徴とするトレース情報変換方法。
【請求項８】
請求項７に記載のトレース情報変換方法において、
前記識別情報の抽出は、前記トレース情報のうち、所定ビット数の情報を前記所定桁数の情報として抽出することで前記識別情報を抽出することを特徴とするトレース情報変換方法。
【発明の詳細な説明】
【技術分野】
【０００１】
本発明は、物品の流通もしくは製造過程を示すトレース情報を収集し、利用する技術に関する。その中でも特に、複数のデータ形式のトレース情報を統一的な形式に変換する技術に関する。
【背景技術】
【０００２】
従来、商品など物品の流通状況を把握するものとして、特許文献１がある。特許文献１には、物流の状況をリアルタイムで適格に把握するための構成として、以下の記載が開示されている。物品を包装した追跡機能搭載パッケージを備える非接触シングルチップにトレーサビリティデータを書き込み、物品が管理地点を通過するごとに、この非接触シングルチップに記憶されたトレーサビリティデータを読み込み、読み込まれたトレーサビリティデータを通信回線を介して送信して記憶する。そして、この記憶されたトレーサビリティデータを用いて物品の流通状況を把握する。
【０００３】
【特許文献１】特開２０００−２３３８０８号公報
【発明の開示】
【発明が解決しようとする課題】
【０００４】
ここで、通常の物品の流通においては、複数の関与者が関与する。つまり、流通業者、製造業者(部品製造、組立)、小売業者などが関与する。これらの関与者においては、物品の流通状態を示すトレース情報の形式が異なることが多い。また、流通業者、製造業者などそれぞれにおいても、業者が異なればデータ形式が異なることもある。このように、トレース情報は、複数のデータ形式で取り扱われることが多く、統一的な管理が困難であるとの課題がある。
【０００５】
しかしながら、特許文献１においては、倉庫に入庫された商品も販売されたとみなさないようにすることを課題としており、複数のデータ形式が混在することは何ら考慮されていない。
【課題を解決するための手段】
【０００６】
本発明は、上記の課題を解決するために、以下の構成を採用した。各関与者から送信されるトレース情報について、トレース情報から送信元や送信先を示す識別情報を抽出して、抽出された識別情報に応じた変換方法で予め定めたデータ形式のトレース情報に変換する。ここで、識別情報の抽出には、送信されるトレース情報から所定桁数の情報を識別情報として抽出することが含まれる。また、送信される所定位置に位置する情報を識別情報として抽出することが含まれる。
【発明の効果】
【０００７】
本発明により、トレース情報に複数のデータ形式が存在する場合においても、統一的な管理を実行することが可能になる。
【発明を実施するための最良の形態】
【０００８】
以下、本発明における実施の形態について、図面を用いて説明する。
本発明におけるトレース情報は、複数の関与者の間で物品を取引する際に抽出される情報で、該物品の取引履歴を管理し、関与者が閲覧するために格納されている情報である。 
図１は、本実施形態のトレース情報変換システムの全体構成図を、図２は、本実施形態の処理フローを示している。
【０００９】
まず、図１に示すトレース情報変換システムの全体構成図について説明する。
【００１０】
トレース情報管理システム１１０は、トレース情報管理サーバ１１１、統一トレース情報管理データベース１１２、マッピング情報管理データベース１１３から構成される。トレース情報管理システム１１０は、通信ネットワーク１２０を介して、トレース情報登録システム１３０や、トレース情報検索端末１３３と接続されている。トレース情報登録システム１３０は、物品のトレース情報を取得するための業務システム１３１、トレース情報登録端末１３２から構成されており、トレース情報登録システムは複数存在してもよい。
【００１１】
以下、本発明の実施形態の処理フローを、図２を用いて説明する。
【００１２】
（ステップ２０１）トレース情報管理サーバ１１１が、トレース情報の登録依頼を受信する。登録依頼の手順については、後述の各実施例の中で説明する。受信するトレース情報は、単一のフォーマットではなく、トレース情報登録システムに依存するフォーマットでもよいが、送信したトレース情報登録システムを判別できる情報を含む形式である。
【００１３】
（ステップ２０２）トレース情報管理サーバ１１１は、受信したトレース情報を解析する。受信したトレース情報には、該トレース情報を送信したトレース情報登録システムを判別する情報が含まれており、該情報を基にして、該トレース情報のフォーマットやデータ長、データの意味を特定することができる。
【００１４】
（ステップ２０３）トレース情報管理サーバ１１１は、該トレース情報を解析し、該トレース情報に取引先情報が含まれているか否かを判定する。ここで、取引先情報とは、追跡の対象となる物品が次に渡される該当者を意味するものであり、該当者間に企業取引関係が存在しなくてもよいし、該当者が送信者自身でもよい。該トレース情報に取引先情報が含まれていなかった場合、トレース情報として登録することができないため、ステップ２１１のデータ不受理の処理を行う。
【００１５】
（ステップ２０４）トレース情報管理サーバ１１１は、ステップ２０３で取得した該取引先情報を用いて、マッピング情報管理データベース１１３を検索する。
【００１６】
（ステップ２０５）トレース情報管理サーバ１１１は、ステップ２０４での検索結果を解析し、該トレース情報のマッピング指定がなされているか否かを判定する。マッピング情報が指定されていない場合、該トレース情報を加工せずにステップ２０８の判定を実行する。
【００１７】
（ステップ２０６）ステップ２０５でマッピング情報が指定されていた場合、マッピング情報管理データベースから該マッピング情報を取得する。
【００１８】
（ステップ２０７）トレース情報管理サーバ１１１は、ステップ２０６で取得した該マッピング情報を用いて、該トレース情報を、統一トレース情報に変換する。
【００１９】
（ステップ２０８）トレース情報管理サーバ１１１は、ステップ２０５およびステップ２０７において計算された該トレース情報もしくは該統一トレース情報が、統一トレース情報の形式に適合しているかを検証する。統一トレース情報の形式に適合していなかった場合、トレース情報として登録することができないため、ステップ２１１のデータ不受理の処理を行う。
【００２０】
（ステップ２０９）ステップ２０８において、該トレース情報および該統一トレース情報が、統一トレース情報の形式に適合していた場合、トレース情報管理サーバ１１１は、統一トレース情報管理データベース１１２に、該統一トレース情報を格納する。格納するデータには通し番号を与えることにより、同じIDを扱うトレース情報であっても、別のトレース情報として登録できるようにする。
【００２１】
（ステップ２１１）ステップ２０３およびステップ２０８において、統一トレース情報管理データベースに登録できないと判定された該トレース情報は、今回のプロセスではデータを受理することができないものとし、適切な処理を行う。
【００２２】
（ステップ２１２）ステップ２０９の正常処理、ステップ２１１の不受理処理の結果を、該登録依頼者に対して通知する。
【００２３】
以上の共通ステップにより、トレース情報管理システム１１０は、トレース情報登録システム１３０から依頼されたトレース情報を、統一トレース情報管理システム１１２に登録することができる。
【００２４】
ここで登録される統一トレース情報データ項目について、図３を用いて説明する。
【００２５】
図３は、統一トレース情報データベース１１２で構築される情報を示している。
【００２６】
統一トレース情報は、データベース１１２に格納される項目３０１（ＩＤ、ＵＳＥＲ、ＴＩＭＥ、ＰＬＡＣＥ、ＣＯＤＥ、ＲＯＬＥ、ＮＥＸＴ）から構成され、ＩＤ３０１１は追跡対象である物品を特定する識別子、ＵＳＥＲ３０１２はトレース情報管理システム全体で一意となる会員識別子、ＴＩＭＥ３０１３はこのレコードがトレース情報管理サーバに登録された時間もしくは該トレース情報が作成された時間など、トレース情報管理システムで決められたルールで記述された時間情報、ＰＬＡＣＥ３０１４は該レコードを登録した企業の識別子もしくは実際に該レコード内のＩＤ３０１１が存在する場所を示すデータなど、トレース情報管理システムで決められたルールで記述された場所情報、ＣＯＤＥ３０１５は物品の詳細情報を指し示すコード、例えばＪＡＮコードのコード体系に沿った商品情報番号、ＲＯＬＥ３０１６は該レコードが登録される際のステータス情報、例えば発送、荷受、検品、在庫、など該レコードの業務情報について記述するカラム、ＮＥＸＴ３０１７はＩＤ３０１１の移動先を指し示すコードで、ＩＤ３０１１を発送した取引先の会員識別子やＩＤ３０１１が示す物品の保管先やＩＤ３０１１の使用を中止することに関する情報、など該レコードと次の統一トレース情報との関連を示す情報、を示している。
【００２７】
ここで、ＮＥＸＴ３０１７に利用される使用中止のコードは、ＩＤ３０１１の再利用を想定した場合のコードである。使用中止の際、ＮＥＸＴ３０１７に使用中止のコードが設定された統一トレース情報を登録することで、該レコード以降に登場する該ＩＤ３０１１が出現する統一トレース情報は、再利用されたＩＤ３０１１であることが判別できる。
【００２８】
次に、統一トレース情報管理データベース１１２に格納された統一トレース情報を検索する処理フローについて、図９を用いて説明する。
【００２９】
（ステップ９０１）トレース情報管理サーバ１１１が、トレース情報検索端末１３３から送信されたトレース情報検索依頼を受信する。この際、受信データには、本システム上でユーザを確認できる情報と、検索条件が含まれている。
【００３０】
（ステップ９０２）トレース情報管理サーバ１１１は、該トレース情報検索依頼を解析する。この際、検索依頼からユーザを確認できる情報と検索条件を抽出する。
【００３１】
（ステップ９０３）トレース情報管理サーバ１１１は、ステップ９０２で得られたユーザ情報と検索条件から、検索に対するユーザの権限が存在するかを検証する。該ユーザに検索の権限が存在しない場合、検索を許可せずに、ステップ９１１のデータ不受理の処理を行う。
【００３２】
（ステップ９０４）トレース情報管理サーバ１１１は、ステップ９０２で抽出した検索条件により、統一トレース情報管理データベース１１２に格納された統一トレース情報を検索する。複数の統一トレース情報が該当した場合、検索結果として複数のレコードを返答する場合もある。
【００３３】
（ステップ９０５）ステップ９０２で得られたユーザ情報を利用し、マッピング情報管理データベース１１３から、統一トレース情報の変換情報を取得する。
【００３４】
（ステップ９０６）ステップ９０５で得られた変換情報を用いて、ステップ９０４で検索して得られた該統一トレース情報を、該ユーザ情報に適した形式に変換する。適した形式とは、該ユーザが利用する業界辞書や標準コード、足りない属性情報を、該統一トレース情報に与えたものであり、該トレース情報検索端末１３３での閲覧に応じて形式を変換する。
【００３５】
（ステップ９１１）トレース情報管理サーバ１１１は、ステップ９０６で得られた、適した形式に変換された該統一トレース情報や、ステップ９１１で得られたデータ不受理処理の結果を、該トレース情報検索端末１３３に送信する。
【００３６】
以下では、食品分野、医薬分野における流通情報の追跡において、トレース情報を登録する手順、検索する手順、変換するデータについて説明する。
【実施例１】
【００３７】
以下、第１の実施の形態として、食品の流通情報を追跡するために、トレース情報を蓄積するトレース情報管理システムについて説明する。
【００３８】
食品流通の分野において、トレース情報登録システム１３０ａは食材メーカ、トレース情報登録システム１３０ｂは食品加工メーカ、トレース情報検索端末１３３は加工食品を消費する消費者が想定される。
【００３９】
基本的なデータ処理フローに関しては、上記した処理フローを利用する。
【００４０】
図４は、本実施例において食品加工メーカのトレース情報登録システム１３０ｂを利用して登録されるトレース情報のデータ項目を示している。
【００４１】
トレース情報４００は、トレース情報登録システム１３１ａが設定するデータフォーマット、例えばＣＳＶ（Comma Separated Value）形式、ＸＭＬ（Extensible Markup Language）形式で、トレース情報管理システム１１０に送信される。トレース情報４００には、統一トレース情報管理データベース１１２に登録される食品に関連づいたＩＤ４０１、食材加工メーカを示すユーザＩＤ４０２、トレース情報４００の送信時間４０３、食材加工メーカ内でのＩＤ４０１の所在を示す場所コード４０４、例えばＤＵＮＳ（the Data Universal Numbering System）による標準企業コードを利用したもの、ＪＡＮコードなどＩＤ４０１が示す食材の製品種別を示す製品コード４０５、食品加工メーカが自社で利用している共通業務コード４０６、商品の発送先や自社倉庫間での移動先として指定する移動先コード４０７、などの情報が含まれている。トレース情報４００は、食品加工メーカの業務システム１３１ｂにおいて取得できるもので、トレース情報登録システム１３１ａで生成するものとする。
【００４２】
図７は、トレース情報４００をトレース情報管理システム１１０に登録する画面イメージである。トレース情報登録画面７００は、トレース情報登録７０１かトレース情報検索７０２を選択する機能と、登録情報選択機能７０３、情報確認ボタン７０８、情報送信ボタン７０９、キャンセルボタン７１０に大別される。さらに、登録情報選択機能７０３は、取引先選択機能７０６とその取引先リスト７０７、取引情報ファイル選択の入力ボックス７０４とファイル選択ボタン７０５、などからなる。
【００４３】
トレース情報登録端末１３２ｂの利用者は、取引先選択機能７０６を用いて、取引先となる食品会社、この図ではＡ食品を選択し、ファイル選択ボタン７０５を用いて、登録するトレース情報４００を選択する。この際、トレース情報４００は、事前にファイルとして用意してあってもよいし、登録するトレース情報４００を選択する時点で業務システム１３１ａが出力してもよい。
【００４４】
トレース情報管理システム１１０は、図２の手順により該トレース情報４００を統一トレース情報管理データベース１１２に登録する。本実施例におけるステップ２０３〜ステップ２０７の処理について、図５、図６を用いて説明する。
【００４５】
図５は、マッピング情報管理テーブル１１３に格納された、トレース情報４００の変換を行うためのマッピングテーブルを選択する際に利用される情報である。本実施例では、トレース情報登録時に、取引先選択機能７０６を用いて決定された取引先情報を、マッピングテーブル選択の判定基準とする。つまり、取引先が決定すれば、該トレース情報４００のフォーマットが一意に定まる。
【００４６】
（ステップ２０３）トレース情報管理サーバ１１１は、トレース情報４００と共に受信した、取引先選択機能７０６によって選択された取引先を確認する。
【００４７】
（ステップ２０４、２０５）トレース情報管理サーバ１１１は、ステップ２０３で確認した取引先を用いて、適用可能なマッピングテーブルを検索する。本実施例では、Ａ食品を選択したため、判定基準５０１としてＡ食品を用いて、利用するマッピングテーブル５０２としてマッピングテーブル１が指定されていることを確認する。図６はマッピングテーブル１の実現形態のひとつであり、統一トレース情報と、トレース情報４００との間で、項目の変換を行うために必要な情報を提供している。
【００４８】
（ステップ２０６）トレース情報管理サーバ１１１は、マッピング情報管理データベース１１３から、図６で示したマッピングテーブル１を取得する。
【００４９】
（ステップ２０７、２０８）トレース情報管理サーバ１１１は、項目のマッピング６０１〜６０７を利用して、受信したトレース情報４００を統一トレース情報の形式に変換する。また、統一トレース情報の定義と、変換後のトレース情報４００のデータ形式が整合していることを確認する。統一トレース情報に変換したことを確認して、図２の手順に従って統一トレース情報管理データベース１１２に格納する。
【００５０】
以上の手順により、食品加工メーカのトレース情報登録システム１３０ｂは、トレース情報４００を、統一トレース情報管理データベース１１２に登録することができる。
【００５１】
次に、トレース情報検索端末１３３を用いて、統一トレース情報登録システム１１０に登録されたトレース情報を検索する方法について説明する。
【００５２】
図８は、トレース情報管理システム１１０にトレース情報の検索を依頼する画面イメージである。トレース情報検索画面８００は、トレース情報登録８０１、トレース情報検索８０２を選択する機能と、検索条件指定機能８０３、検索条件送信ボタン８０６、キャンセルボタン８０７に大別される。さらに、検索条件指定機能８０３は、検索条件リスト８０４、条件詳細を指定する入力ボックス８０５の対からなる。
【００５３】
トレース情報検索端末１３３の利用者は、検索条件リスト８０４から検索条件を選択し、その条件詳細を入力ボックス８０５に入力する。例えば、利用者が購入した食品に、数字やバーコード、ＩＣタグの形式で付帯しているＩＤ４０１を視認もしくは読み取り、入力する。
【００５４】
トレース情報管理システム１１０は、図９の手順により統一トレース情報データベース１１２を検索する。本実施例のように、ＩＤ４０１で検索することで複数の統一トレース情報が検索され、それらの情報をテーブル形式、エクセル形式、リスト形式など、一覧にして画面表示を行う。
【００５５】
以上が、食品の流通情報を追跡するためのトレース情報の蓄積と、その利用に関する実施の形態である。
【実施例２】
【００５６】
以下、第２の実施の形態として、医薬品の流通情報を追跡するために、トレース情報を蓄積するシステムについて説明する。
【００５７】
医薬品流通分野において、トレース情報登録システム１３０ａは薬剤メーカ、トレース情報登録システム１３０ｂは医薬卸業者、トレース情報検索端末１３３は病院や各企業業務担当者が想定される。
【００５８】
基本的なデータ処理フローに関しては、上記した処理フローを利用する。
【００５９】
図１０は、本実施例において薬剤メーカのトレース情報登録システム１３０ａを利用して登録されるトレース情報のデータ形式を示している。
【００６０】
本実施例においては、送信されるトレース情報４００の形式として、医薬業界で利用されているデータフォーマットに準じているものとする。データフィールド１０１１〜１０１７はそれぞれ、トレース情報４００の送信時間、トレース情報４００の送信者、ＥＤＩにおける業務ステータス、トレース情報４００の受信者、送付する医薬品の製品コード、送付する医薬品に関連づいているＩＤ、送付する医薬品の所在を示す場所コード、を示す。
【００６１】
トレース情報管理システム１１０は、図２の手順により該トレース情報４００を統一トレース情報管理データベース１１２に登録する。本実施例におけるステップ２０３〜ステップ２０７の処理について、図１１、図１２を用いて説明する。
【００６２】
図１１は、マッピング情報管理テーブル１１３に格納された、トレース情報４００の変換を行うためのマッピングテーブルを選択する際に利用される情報である。本実施例では、医薬業界で利用されているＶＡＮのデータフォーマットに準じている場合について説明する。
【００６３】
（ステップ２０３）トレース情報管理サーバ１１１は、トレース情報４００の全体データ長などから、ＶＡＮのデータフォーマットを利用した形式であることを確認する。
【００６４】
（ステップ２０４、２０５）トレース情報管理サーバ１１１は、ステップ２０３で確認したＶＡＮ形式の情報を用いて、適用可能なマッピングテーブルを検索する。本実施例では、ＶＡＮ形式でトレース情報４００を受信したため、判定基準１１０１として医薬業界ＶＡＮを用いて、利用するマッピングテーブル１１０２としてマッピングテーブルａが指定されていることを確認する。図１２はマッピングテーブルａの実現形態のひとつであり、統一トレース情報と、トレース情報４００との間で、項目の変換を行うために必要な情報を提供している。
【００６５】
（ステップ２０６）トレース情報管理サーバ１１１は、マッピング情報管理データベース１１３から、図１２で示したマッピングテーブルａを取得する。
【００６６】
（ステップ２０７、２０８）トレース情報管理サーバ１１１は、項目のマッピング情報１２００を利用して、受信したトレース情報４００を統一トレース情報の形式に変換する。また、統一トレース情報の定義と、変換後のトレース情報４００のデータ形式が整合していることを確認する。統一トレース情報に変換したことを確認して、図２の手順に従い統一トレース情報管理データベース１１２に格納する。
【００６７】
以上の手順により、薬剤メーカのトレース情報登録システム１３０ａは、トレース情報４００を、統一トレース情報管理データベース１１２に登録することができる。
【００６８】
第２の実施の形態において、マッピングテーブルを選択する基準として、ＶＡＮ形式によるデータか否かという判断をしているが、業界標準のＥＤＩデータ形式であってもよいし、薬剤メーカで合意がとれたデータフォーマットを利用してもよい。
【産業上の利用可能性】
【００６９】
本発明は、コンピュータを用いて、物品の流通状況を適格に把握でき、流通産業などにおいて、物品の管理に利用可能である。
【図面の簡単な説明】
【００７０】
【図１】本実施の形態におけるトレース情報管理システムの全体構成の一例を示す図である。
【図２】統一トレース情報に変換する処理フローを示す図である。
【図３】統一トレース情報のデータ項目の一例を示す図である。
【図４】第１の実施例において食品加工メーカが登録するトレース情報のデータ項目の一例を示す図である。
【図５】第１の実施例において統一トレース情報に変換するマッピングテーブルを選択するためのリストの一例を示す図である。
【図６】第１の実施例におけるマッピングテーブルの一例を示す図である。
【図７】第１の実施例においてトレース情報を登録する画面の一例を示す図である。
【図８】第１の実施例においてトレース情報を検索する画面の一例を示す図である。
【図９】統一トレース情報を検索する処理フローを示す図である。
【図１０】第２の実施例において薬剤メーカが登録するトレース情報のデータ項目の一例を示す図である。
【図１１】第２の実施例において統一トレース情報に変換するマッピングテーブルを選択するためのリストの一例を示す図である。
【図１２】第２の実施例におけるマッピングテーブルの一例を示す図である。
【符号の説明】
【００７１】
１１０…トレース情報管理システム、１１１…トレース情報管理サーバ、１１２…統一トレース情報管理データベース、１１３…マッピング情報管理データベース、１３０…トレース情報登録システム、１３１…既存業務システム、１３２…トレース情報登録端末、１３３…トレース情報検索端末
【図１】
2005162403.tif 000003
【図２】
2005162403.tif 000004
【図３】
2005162403.tif 000005
【図４】
2005162403.tif 000006
【図５】
2005162403.tif 000007
【図６】
2005162403.tif 000008
【図７】
2005162403.tif 000009
【図８】
2005162403.tif 000010
【図９】
2005162403.tif 000011
【図１０】
2005162403.tif 000012
【図１１】
2005162403.tif 000013
【図１２】
2005162403.tif 000014